(57)【特許請求の範囲】
【請求項１】
配線を収納する配線収納ユニットが積層された配線収納構造であって、
配線口形成部及び配線口形成部を着脱可能な状態で覆う蓋部を有し、前記蓋部に外部から引き入れた配線を固定するクランプ部を備えた第一の配線収納ユニットと、
前記第一の配線収納ユニットの上側に配置され、前記クランプ部の対応位置の底板に配線を導入可能とする配線口形成部を有する第二の配線収納ユニットと、
を備えた配線収納構造。
【請求項２】
前記蓋部が前記第一の配線収納ユニットの底板に構成された補強部に固定可能な請求項１に記載の配線収納構造。
【発明の詳細な説明】
【技術分野】
【０００１】
本発明は、配線収納構造に関するものである。
【背景技術】
【０００２】
特許文献１に記載されているように、配線収納ユニットに対して光ケーブルを配線することが知られている。光ケーブルは通常、複数の光ファイバを束ねて、その周囲を被覆したものである。このような光ケーブルを用いれば、複数本の光ファイバを一本の光ケーブルとして扱えるとともに、光ファイバの保護もできるため、配線収納ユニットまでの光ファイバの取り扱いが容易となる。
【先行技術文献】
【特許文献】
【０００３】
【特許文献１】特開２００５−１４８３２７号公報
【０００４】
ところで、特許文献１に記載されたような配線収納ユニットを積層して使用する場合、図１１に示すように、光ケーブル１０２を各配線収納ユニット１０１に引き込むことが考えられる。この場合、比較的大径の光ケーブル１０２を複数個所に引きまわす必要があるため、配線作業が煩雑となる虞があった。また、図１２に示すように、光ケーブル１０２を一つの配線収納ユニット１０１内に引き込み、光ケーブル１０２の被覆が施されていない光ファイバ１０３を他の配線収納ユニット１０１に入線することも考えられる。しかしながら、そのような構成であると光ファイバ１０３の一部が配線収納ユニット１０１の外に位置することになる。光ファイバ１０３は外部からの荷重に対して比較的弱いものであるため、光ファイバ１０３が配線収納ユニット１０１の外に位置することは、好ましいことではなかった。
【発明の概要】
【発明が解決しようとする課題】
【０００５】
本件の発明者は、この点について鋭意検討することにより、解決を試みた。本発明の課題は、配線収納ユニットを積層して形成した配線収納構造において、配線収納構造内で配線を引き回すことにより、各々の配線収納ユニットへの配線を可能とすることである。
【課題を解決するための手段】
【０００６】
上記課題を解決するため、次のような手段を採用する。第一の手段は、配線を収納する配線収納ユニットが積層された配線収納構造であって、外部から引き入れた配線を固定するクランプ部を備えた第一の配線収納ユニットと、前記第一の配線収納ユニットの上側に配置され、前記クランプ部の対応位置の底板に配線を導入可能とする配線口形成部を有する第二の配線収納ユニットと、を備えた配線収納構造である。
【０００７】
第一の手段において、配線口形成部を覆う蓋部が着脱可能に構成された第二の手段が好ましい。
【０００８】
第二の手段において、前記蓋部に前記クランプ部を備えた構成とする第三の手段が好ましい。
【０００９】
第二又は第三の手段において、前記蓋部が前記第一の配線収納ユニットの底板に構成された補強部に固定可能とする第四の手段が好ましい。
【発明の効果】
【００１０】
本発明では、積層された配線収納ユニットの上側に位置する配線収納ユニット内に入線される配線を配線収納ユニットの底板側から導入することが可能なため、筐体外に光ファイバを出すことなく配線することが可能となる。
【図面の簡単な説明】
【００１１】
【図１】第一の実施の形態の配線収納構造の斜視図である。
【図２】図１のＩＩ−ＩＩ矢視図である。
【図３】第一の実施の形態の配線収納構造の側面図である。
【図４】第一の実施の形態の配線収納ユニットの分解斜視図である。
【図５】第一の実施の形態の配線収納ユニットの斜視図である。
【図６】第一の実施の形態の配線収納ユニットにおいて蓋部とカバー部を取り外している状態を示す平面図である。
【図７】第一の実施の形態の配線収納ユニットの平面図である。
【図８】第一の実施の形態の配線収納ユニットのパッチパネルを通常の設置個所から移動させた状態を示した平面図である。
【図９】蓋部の斜視図である。
【図１０】第二の実施の形態の配線収納ユニットの分解斜視図である。
【図１１】従来の配線収納構造の第一の配線形態を表した側面図である。
【図１２】従来の配線収納構造の第二の配線形態を表した側面図である。
【発明を実施するための形態】
【００１２】
以下に発明を実施するための形態を示す。図１は第一の実施の形態の配線収納構造１の斜視図である。図２は図１のＩＩ−ＩＩ矢視図である。図３は第一の実施の形態の配線収納構造１の側面図である。本実施の形態の配線収納構造１は、配線を収納する配線収納ユニット３が積層されることにより構成されている。また、配線収納ユニット３は外部からの配線を引き込むことができるように背面が開放された状態となっている。
【００１３】
本実施の形態の配線収納構造１は、外部から引き入れた配線を固定するクランプ部５を備えた第一の配線収納ユニット３ａを備えている。また、第一の配線収納ユニット３ａの上側に配置され、クランプ部５の対応位置の底板２２に配線を導入可能とする配線口形成部７を有する第二の配線収納ユニット３ｂを備えている。このような構成とすることにより、積層された配線収納ユニット３の上側に位置する第二の配線収納ユニット３ｂ内に入線される配線を第二の配線収納ユニット３ｂの底板２２側から導入することが可能となり、筐体３２の外に光ファイバ２６を出すことなく配線することが可能となる。なお、本実施の形態における配線口形成部７は四角状に形成された配線口である。
【００１４】
本実施の形態においては、光ファイバ２６を束ねて被覆した光ケーブル２５をクランプ部５で固定している。このクランプ部５の周りで光ケーブル２５の被覆が解かれており、一部の光ファイバ２６は第一の配線収納ユニット３ａ内に配線され、一部の光ファイバ２６は第二の配線収納ユニット３ｂ内に導入される。本実施の形態においては、第一の配線収納ユニット３ａから延びる光ファイバ２６は、第二の配線収納ユニット３ｂの底部に開口状に設けられた配線口形成部７を通って、第二の配線収納ユニット３ｂ内に導入されている。
【００１５】
光ケーブル２５の被覆が解かれた光ファイバ２６は、パッチパネル３３から延びる光ファイバ２８に接続することが可能となっている。光ファイバ２８と融着により接続された光ファイバ２６は、その接続箇所を含む余長部がループ状に巻かれて融着トレイ３４内に収められている。
【００１６】
ここで、第一の実施の形態の配線収納ユニット３について説明する。第一の配線収納ユニット３ａと第二の配線収納ユニット３ｂは概略同様の形態であり、概略Ｃ字状となる外形の筐体３２を備えている。筐体３２には、図示しないラックのマウントアングルに取り付け可能な取付部３６が備えられている。図４及び図５に示すように、本実施の形態の取付部３６には、平面視Ｌ字状のプレートが使用されており、筐体３２の両側に備えられている。筐体３２に備えられた取付部３６は、端部が互いに筐体３２よりも突出するように配置されている。
【００１７】
筐体３２の底板２２には配線口形成部７となる開口が形成されている。また、筐体３２の底板２２が変形することを抑制する補強部３７が固定されている。この補強部３７は、筐体３２の左右方向に亘って固定されている。
【００１８】
本実施の形態の配線収納ユニット３には、コネクタを接続可能なパッチパネル３３が備えられている。本実施の形態のパッチパネル３３においては、配線収納ユニット３の前面側からコネクタを接続可能な構成となっている。また、パッチパネル３３は筐体３２に対して蝶番４２で接続されており、パッチパネル３３が回動可能となっている。
【００１９】
本実施の形態のパッチパネル３３はマウントアングルの取付個所よりも後方に位置するように構成されている。このため、オープンラックのように前面を開放したラックであっても、配線が前面側に出た状態を回避することが可能となる。
【００２０】
また、パッチパネル３３の前側に位置する前ガイド部４４と、後側に位置する後ガイド部４５がパッチパネル３３と一体となるように形成されている。したがって、パッチパネル３３が移動した際には、前ガイド部４４と後ガイド部４５も移動する構成となっている。このため、配線収納ユニット３の内部でコネクタを接続する作業などを行うことが比較的容易に行える構造となっている。なお、図６及び図７に示すように、後ガイド部４５には複数のケーブルガイド４７が取り付けられており、このケーブルガイド４７には光ファイバ２８を絡ませることが可能となっている。
【００２１】
また、パッチパネル３３の回動時には、後ガイド部４５が常に底板２２にガイドされるように構成されている。したがって、コネクタや配線の重みでパッチパネル３３の端部が下がることが抑制され、蝶番４２に過度な負担がかかることが防止されている。
【００２２】
前ガイド部４４の端部は切り欠き状に形成されている。したがって、図８に示すようにパッチパネル３３を回動させても前面パネル８６の前に下方に続く空間４９が確保される。したがってパッチパネル３３を開放した際にも、配線に負荷がかかることが抑制される。
【００２３】
第一の配線収納ユニット３ａと第二の配線収納ユニット３ｂの主な相違点は蓋部６２を取り付けているか否かである。配線口形成部７が蓋部６２で覆われていない場合は第二の配線収納ユニット３ｂとして、底板２２を通して光ファイバ２６などを引き込むことが可能となる。また、配線口形成部７が蓋部６２で覆われている場合には、第一の配線収納ユニット３ａとして使用可能となる。この蓋部６２にはクランプ部５が備えられているが、本実施の形態の配線収納構造１においては、このクランプ部５の真上に第二の配線収納ユニット３ｂの配線口形成部７が位置することになる。なお、本実施の形態の蓋部６２は端部を直角に折り曲げられてクランク状となるように形成されている。また、蓋部６２は積層されたいずれの配線収納ユニット３にも取り付けることが可能なように構成されている。
【００２４】
本実施の形態では配線口形成部７を覆う蓋部６２が着脱可能に構成されているため、配線口を開けておく状態と閉じておく状態の切り替えが容易に可能となる。したがって、用意した配線収納ユニット３を第一の配線収納ユニット３ａとして使用するのか第二の配線収納ユニット３ｂとして使用するのかを都度選択することが可能となる。また、着脱可能な蓋部６２には、クランプ部５が備えられているため、同種の配線収納ユニット３を複数用意すれば、クランプ部５の対応位置に配線口形成部７を有する構造とすることが容易に可能となる。なお、クランプ部５の端部と後述する補強部３７と固定する固定辺６６ａ間に空間６２ａを設けて固定されており、光ファイバ２６の曲げ半径を確保可能としている。
【００２５】
本実施の形態においては、配線口形成部７を覆う蓋部６２は補強部３７と接続するように固定されており、蓋部６２が配線収納ユニット３を補強する役割も担っている。図９に示すように、本実施の形態の蓋部６２には補強部取付部６４と底板取付部６５を形成した固定辺６６ａ,６６ｂが形成されており、蓋部６２を筐体３２に対してネジ固定することが可能となっている。より具体的には、本実施の形態の第一の配線収納ユニット３ａにおいては、蓋部６２の一端の固定辺６６ａは補強部３７に対してネジ固定されており、蓋部６２の他端の固定辺６６ｂは筐体３２の底板２２の端部から立ち上げた立上辺３８にネジ固定されている。配線収納ユニット３の底板２２の変形を防止するために形成された補強部３７に対して固定された蓋部６２は、配線口形成部７として形成された開口を覆う役割を担うとともに、この２つの固定辺６６は、それぞれ異なる角度から配線収納ユニットにネジ固定される構造となり、配線収納ユニット３の異なる方向に対して補強の役割を担うことにもなる。また、固定辺６６を形成した辺とは異なる辺に蓋部６２を補強する補強辺６７を形成するとともに、固定辺６６ｂと補強辺６７間に切欠孔６８を形成し、立上辺３８への位置決めを可能としている。
【００２６】
また、融着トレイ３４をカバー部８４で覆うことにより、融着トレイ３４内の光ファイバ２６が浮き上がることを抑制することが可能となる。本実施の形態においては、カバー部８４の一端を補強部３７に差し込んだ状態で立上辺３８にネジ固定をすればカバー部８４が筐体３２に対して固定されることになる。なお、本実施の形態の筐体３２の上部には、図示しない天井板を固定する際に利用される天井板固定レール８８が取り付け可能となっている。なお、蓋部６２の補強部３７、立上辺３７への固定、カバー部８４の立上辺３８への固定はネジ固定することとしたが、ナイラッチのような工具を不要とする固定部材を用いるものであっても良い。
【００２７】
次に第二の実施の形態について説明する。図１０は第二の実施の形態の配線収納ユニット３の分解斜視図である。本実施の形態の配線口形成部７は、配線口の縁となる部分が部分的に切り欠かれているノックアウト開口を採用している。本実施の形態では、ノックアウト開口を採用しているため、配線口形成部７は、初期状態においては、閉じたものとすることができる。また、必要に応じて、切り欠かれた部分の内側に荷重を加え、開口状の配線口を形成することが可能となる。
【００２８】
また、本実施の形態の蓋部６２には光ファイバ２６などを通すことが可能な開口部位８２が備えられている。したがって、配線口形成部７を蓋部６２で覆った場合であっても、蓋部６２の下側に光ファイバ２６などを配線することが可能となる。このため、配線収納構造１内で配線を引き回して、クランプ部５を備えた配線収納ユニット３の下側に配置した配線収納ユニット３内に光ファイバ２６を配線することが可能となる。なお、開口部８２は、クランプ部５の端部と固定辺６６ａ間の空間６２ａに形成される。
【００２９】
以上、二つの実施の形態について説明してきたが、本発明は上記実施の形態に限定されることはなく、各種の態様とすることが可能である。例えば、光ケーブルの被覆が解かれた光ファイバは、数本（例えば四本）を一体化したものとした構成とすることも可能である。
【００３０】
光ケーブルの被覆が施されていない部位において光ファイバの周囲に保護部材を設けることも可能である。このような保護部材としては、例えば、チューブ状に形成することが可能である。
【００３１】
蓋部にノックアウト開口を形成し、必要時に開口部位を形成するようにすることも可能である。
【符号の説明】
【００３２】
１  配線収納構造
３  配線収納ユニット
５  クランプ部
７  配線口形成部
２２  底板
３７  補強部
６２  蓋部
【図１】
0006713205.tif 000002
【図２】
0006713205.tif 000003
【図３】
0006713205.tif 000004
【図４】
0006713205.tif 000005
【図５】
0006713205.tif 000006
【図６】
0006713205.tif 000007
【図７】
0006713205.tif 000008
【図８】
0006713205.tif 000009
【図９】
0006713205.tif 000010
【図１０】
0006713205.tif 000011
【図１１】
0006713205.tif 000012
【図１２】
0006713205.tif 000013